(57)【特許請求の範囲】
【請求項１】
掃除機本体の吸込口に接続される吸込ホースに取り付けられた操作部に軸方向に沿った所定の嵌合代を有する嵌合部を形成し、この操作部に、先端側に吸込開口を有し基端側に前記嵌合部に着脱可能に嵌合する被嵌合部を有する付属用吸込具を嵌合接続して被掃除面を掃除する電気掃除機において、
前記操作部の嵌合部の外周部に、前記嵌合部と被嵌合部との嵌合方向と直交する方向に突出する凸軸を有した案内体を前記嵌合部の開口端より後退した位置に設け、
前記付属用吸込具の被嵌合部に、その後端開口から後方に突出する連結体を形成し、この連結体に、前記凸軸に摺動かつ回動可能でしかも係脱可能に嵌合し、長軸方向を前記嵌合方向とするとともにこの長軸方向の長さを前記嵌合代の長さよりも長くしたガイド孔を形成し、
前記凸軸と被嵌合部の端部とを、付属用吸込具が前記凸軸を支点として被嵌合部を嵌合部に対応させるように回動する際嵌合部と干渉しない関係とするとともに、前記付属用吸込具に係合部を形成し、この係合部と係脱する係止部を前記操作部に設け、
前記被嵌合部を操作部の嵌合部から外し付属用吸込具を凸軸を支点として回動して係合部を操作部の係止部に係合させて非使用状態に保持するとともに、凸軸を支点として回動させ互いの端部を対応させた状態で凸軸を前記ガイド孔に沿って摺動させて被嵌合部と操作部の嵌合部とを嵌合させることにより付属用吸込具を使用状態に保持するようにしたことを特徴とする電気掃除機。
【発明の詳細な説明】
【０００１】
【発明の属する技術分野】
この発明は、電気掃除機に係り、とくに電気掃除機の吸込口に一端部を接続した吸込ホースの他端部に接続された操作部に、不使用時における付属用吸込具を保持させようにしたものに関する。
【０００２】
【従来の技術】
従来の電気掃除機の吸込具としては、床面の塵埃を除去する一般に床ブラシと呼ばれる吸込具、窓枠の敷居溝あるいは家具と壁との間の隙間の塵埃を吸い込むために用いられる隙間ノズル等と呼ばれる吸込具、障子の桟あるいは箪笥等の上の塵埃を除去する吸込開口の周縁部にブラシ毛を設けた丸ブラシ等と呼ばれている吸込具があり、これら吸込具のうち床ブラシは吸込ホースに接続された握り部つまり手で握って操作する操作部の先端に開口した嵌合口に接続した延長管に接続して用いられ、また、隙間ノズルあるいは丸ブラシは延長管を介してあるいは直接操作部の前記嵌合口に接続して用いられるものである。
【０００３】
ところで、掃除において最も使用頻度の高い吸込具は床ブラシであり、他の隙間ノズルあるいは丸ブラシの使用頻度は比較的低いことから、これら吸込具は付属用吸込具として位置付けられている。
【０００４】
そして、これらの付属用吸込具は使用しない場合は所定の収納場所に収納しておかなければならないものであり、一方掃除中に使用しようとする場合にすぐに取り出すことができるようにすることが望ましいことから、このことを考慮して掃除機本体に収納部を設け、不使用時にはこの収納部に収納するようにしたもの、あるいは操作部に保持手段を設けこの保持部に付属用吸込具を保持して収納するようにしたものがある。
【０００５】
ここで、吸込ホースに取り付けた操作部に保持部を設けて、この保持部に付属用吸込具を保持するようにした従来の電気掃除機を図１２ないし図１５に基いて説明する。
【０００６】
図１２において符号１００は電気掃除機本体（以下単に掃除機本体という）であり、この掃除機本体１００は本体ケース１１０とこの本体ケース１１０の内部に形成された図示しない集塵室に収納された集塵袋等からなる同じく図示しない集塵装置、前記集塵室の下流側に形成された図示しない電動送風機室に収納された同じく図示しない電動送風機等から構成されている。
【０００７】
この掃除機本体１００つまり本体ケース１１０の前部には前記図示しない集塵室に連通する吸込口１１２が形成され、また、後部には図示しないが排気風を排出する排気口が形成されている。また、前記本体ケース１１０の前側上部には前記図示しない集塵室の開口を覆う開閉蓋１１３が設けられており、この開閉蓋１１３を開けて前記集塵装置の着脱をするようになっている。
【０００８】
また、前記吸込口１１２には吸込ホース１２０の一端部が着脱可能に接続されており、この吸込ホース１２０の他端部には、内部に風路を構成する貫通孔１３３（図１３参照）が形成された操作部１３０が接続されている。この操作部１３０は図に示すように一端側に前記吸込ホース１２０の他端部を接続する接続部１３１が形成されており、また、他端側には後述する付属用吸込具である隙間ノズル１４０の被嵌合部１４１を嵌合する嵌合部１３２が形成されている。
【０００９】
この嵌合部１３２は、前記貫通孔１３３の一部によって構成されているものであり、貫通孔１３３の開口１３３ａから奥部に向かうにつれて孔径を次第に小径としたテーパー状に形成されているものである。
【００１０】
なお、前記嵌合部１３２には図１２に二点鎖線で示したように延長管１５０の一端が嵌合により接続されるようになっており、この延長管１５０にはさらに他の延長管１５０が接続され、この延長管１５０の先端には床ブラシ１５１が接続されるようになっている。
【００１１】
また、前記操作部１３０には前記接続部１３１と嵌合部１３２の中間部から後方に延出して形成したハンドル１３４が形成されており、このハンドル１３４を手で持ってこの操作部１３０に直接または前記延長管１５０を介して接続された隙間ノズル、床ブラシ等の吸込具を操作して掃除をするものである。
【００１２】
このハンドル１３４には前記図示しない電動送風機の電源をオン・オフする電源スイッチ、電動送風機の入力つまり出力を切り替える複数の切替スイッチの操作釦１３５が配設され、これら各スイッチのオン・オフ信号は前記吸込ホース１２０内に埋設された信号線を介して掃除機本体１１０内に設けた図示しない制御手段に送られるようになっている。
【００１３】
また、前記操作部１３０の接続部１３１には、下方に向けて突設した保持部である保持突起１３６が設けられている。この保持突起１３６は、図１３に示すように嵌合軸１３６ａとこの嵌合軸１３６ａの先端部に形成した径大な頭部１３６ｂとによって構成されているものである。
【００１４】
つぎに、前記嵌合部１３２に嵌合により接続される吸込具である隙間ノズル１４０は、図１２ないし図１４に示すように基端側は円筒状とした被嵌合部１４１が形成され、また、先端側つまり被嵌合部１４１の前方側は剣先状に形成され、この先端側下方には図１５に示すようにスリット状の吸込開口１４２が形成されている。なお、前記被嵌合部１４１は前記操作部１３０の嵌合部１３２とテーパー嵌合するように端部に向かうにつれて外径を次第に小径としたテーパー状に形成されている。
【００１５】
また、前記隙間ノズル１４０の下方には図１５に示すように吸込開口１４２に連通したスリット状に形成した係合溝１４３が形成されており、この係合溝１４３は前記操作部１３０の保持部１３６の嵌合軸１３６ａに圧接しつつ挿入・離脱ができる幅寸法に設定されており、したがって、図１４の矢印ａ方向から隙間ノズル１４０を移動させて、前記係合溝１４３の開口１４３ａから前記保持部１３６の嵌合軸１３６ａを挿入することによって隙間ノズル１４０は、図１４に示すように嵌合溝１４３と嵌合軸１３６ａとの圧接によって開口１４３ａからの抜け止めをされるとともに、係合溝１４３の溝方向と直交する方向には前記頭部１３６ｂによって抜け止めされて、操作部１３０に保持されるようになっている。
【００１６】
そして、他の吸込具例えば床ブラシを用いて掃除をしており、隙間ノズル１４０を使用しない場合に、この隙間ノズル１４０を前記操作部１３０に設けた保持部１３６に保持させて収納するようにしたものは、掃除中に狭い溝等の掃除をしたい場合は、その場で前記操作部１３０から隙間ノズル１４０を取外して操作部１３０の嵌合部１３２に嵌合して取り付けて掃除ができるという利点を有するものである。
【００１７】
しかし、上記隙間ノズル１４０を操作部１３０に保持する構成は次のような問題がある。つまり、まず、操作部１３０に保持されている隙間ノズル１４０を取外して使用する場合は、図１４に二点鎖線で示すように一方の手例えば右手でハンドル１３４を握り他方の手つまり左手で隙間ノズル１４０を把持し、ついで矢印ｂ方向に移動させて係合部１３６ａから係合溝１４３を外す。この状態では隙間ノズル１４０の吸込開口１４２は上の方を向いていることになり、この状態で操作部１３０の嵌合部１３２の嵌合すると前記吸込開口１４２は上方つまりハンドル１３４側となり、この吸込開口１４２の方向は掃除動作をする場合と反対方向つまり被掃除面と反対の方向となってしまう。また、被嵌合部１４１は握った左手の小指側に位置していることから被嵌合部１４１を嵌合部１３２に嵌合させる際の位置合わせがし難くいものである。
【００１８】
したがって、一旦左手で把持して取外した隙間ノズル１４０の方向をつまり吸込開口１４２を下向きに向けるとともに、被嵌合部１４１を嵌合部１３２に向けるように持ち替え、ついで被嵌合部１４１を嵌合部１３２に嵌合させなければならないという煩わしい操作をしなければならないものであり、この持ち替え操作は右手はハンドル１３４を把持していなければならないことから、左手のみでなさなければならず場合によっては持ち替え操作中に隙間ノズル１４０を落としてしまうという事態も生じる。
【００１９】
つぎに、使用後に隙間ノズル１４０を操作部１３０に保持して収納する場合は、初めにハンドル１３４および隙間ノズル１４０をそれぞれ右手および左手によって上側から把持して互いに引離す方向に力を加えて嵌合部１３２から被嵌合部１４１を引き抜く。この状態では隙間ノズル１４０の被嵌合部１４１は把持した左手の親指側に位置するとともに、係合溝１４３は下向きとなっている。したがって、この場合も隙間ノズル１４０を前記係合溝１４３が上方向つまり操作部の保持部１３６に対向させる方向に持ち替え、係合溝１４３の開口１４３ａを係合部１３６ａに対応させた後、隙間ノズル１４０を図１４の矢印ａ方向に移動させて係合部１３６ａと係合溝１４３とを係合させなければならない。
【００２０】
つまりこの場合も隙間ノズル１４０を操作部１３０から取外した後持ち替え操作をしなければならないという煩わしい操作を要するもである。
【００２１】
また、上記の保持する構造は、一個の係合部１３６ａによって保持するものであることから、掃除中に外部の物に隙間ノズル１４０が当たる等して外力が加わった場合に、この外力が係合部１３６ａに集中し、場合によっては係合部１３６が破損するという事態が生じる。
【００２２】
また、係合溝１４３と係合部１３６ａとは圧接状態で摺動する構成であることから、いずれかが摩耗すると嵌合が緩くなり掃除中に外れて隙間ノズル１４０が操作部１３０から抜け落ちてしまうという事態が生じる。
【００２３】
このように、上記従来の隙間ノズル１４０つまり吸込具を操作部１３０に保持するものは、掃除中にその場で隙間ノズル１４０を使用し、また、収納保持できるという利点を有する。しかし、隙間ノズル１４０の操作部１３０から取外して使用する場合も使用後に操作部１３０に取り付けて収納する場合も、隙間ノズル１４０を持ち替える操作をしなければならないという煩わしい操作を要する。また、係合部１３６ａまたは係合溝１４３が摩耗すると、嵌合が緩くなり掃除中に外れて隙間ノズル１４０が操作部１３０から抜け落ちてしまうという問題がある。
【００２４】
また、付属用吸込具の収納と操作部への取り付けを容易にするようにしたものとしては、図示しないがつぎのように構成したものがある。つまり操作部の管部に形成された嵌合部である嵌合孔の先端部に、丸ブラシの一側を、前記管部を通過させる幅に切除した構成とし、この丸ブラシの基端側を前記管部の近傍部位に回動可能として取り付け、そして、丸ブラシを使用するときは丸ブラシを開口側に回転させて前記切除した部分を除く管部の先端の開口の周囲に丸ブラシのブラシ毛部分を位置させ、また、使用しないときは逆方向に回転させて管部の先端の開口からブラシ毛部分を退避させるとともに、前記嵌合孔に他の吸込具あるいは延長管を接続するようにしたものである。
【００２５】
このものは掃除中にその場で丸ブラシを使用する場合は、丸ブラシを嵌合孔の先部側に向けて回動させるだけでよく、また、使用後収納する場合は逆に反対方向に回動させるだけでよいことから、掃除中にその場で隙間ノズル１４０を使用しまた収納できるという利点を有するものの、構造上丸ブラシの内周面と管部の外周面との間に間隙が生じてしまうことから、この間隙から外気が吸い込まれてしまうため吸塵効果が大きく損なわれるという問題がある。
【００２６】
【発明が解決しようとする課題】
上記のように従来の付属用吸込具の収納を吸込ホースの操作部に保持ないしは取り付けて収納するように構成したもののうち、操作部に保持部を設けてこの保持部に対して付属用吸込具を着脱するようにしたものは、掃除中にその場で付属用吸込具を操作部に取り付けて使用し、また、使用しないときはその場で収納できるという利点を有するものの、付属用吸込具を操作部から取外して使用する場合および使用後に操作部に取り付けて収納する場合のいずれの場合も、付属用吸込具を持ち替える操作をしなければならないという煩わしい操作を要し、また、摩耗すると確実な保持ができなくなり掃除中に付属用吸込具が操作部から抜け落ちてしまうという問題ある。
【００２７】
また、操作部の先端部に回動可能に付属用吸込具を取り付ける構成としたものでは、同様に掃除中にその場で付属用吸込具を使用しまた収納できるという利点を有するものの、構造上丸ブラシの内周面と管部の外周面との間に間隙が生じることから、この間隙から外気が吸い込まれてしまうため吸塵効果が大きく損なわれるという問題がある。
【００２８】
【課題を解決するための手段】
この発明は上記事情に鑑みてなされたもので、請求項１記載の発明は、掃除機本体の吸込口に接続される吸込ホースに取り付けられた操作部に軸方向に沿った所定の嵌合代を有する嵌合部を形成し、この操作部に、先端側に吸込開口を有し基端側に前記嵌合部に着脱可能に嵌合する被嵌合部を有する付属用吸込具を嵌合接続して被掃除面を掃除する電気掃除機において、前記操作部の嵌合部の外周部に、前記嵌合部と被嵌合部との嵌合方向と直交する方向に突出する凸軸を有した案内体を前記嵌合部の開口端より後退した位置に設け、前記付属用吸込具の被嵌合部に、その後端開口から後方に突出する連結体を形成し、この連結体に、前記凸軸に摺動かつ回動可能でしかも係脱可能に嵌合し、長軸方向を前記嵌合方向とするとともにこの長軸方向の長さを前記嵌合代の長さよりも長くしたガイド孔を形成し、前記凸軸と被嵌合部の端部とを、付属用吸込具が前記凸軸を支点として被嵌合部を嵌合部に対応させるように回動する際嵌合部と干渉しない関係とするとともに、前記付属用吸込具に係合部を形成し、この係合部と係脱する係止部を前記操作部に設け、前記被嵌合部を操作部の嵌合部から外し付属用吸込具を凸軸を支点として回動して係合部を操作部の係止部に係合させて非使用状態に保持するとともに、凸軸を支点として回動させ互いの端部を対応させた状態で凸軸を前記ガイド孔に沿って摺動させて被嵌合部と操作部の嵌合部とを嵌合させることにより付属用吸込具を使用状態に保持するようにした電気掃除機としたものである。
【００２９】
この請求項１記載の発明は、付属用吸込具の前記被嵌合部を操作部の嵌合部から外し、この付属用吸込具を、凸軸を支点として回動して係合部を操作部の係止部に係合させて非使用状態に保持するとともに、凸軸を支点として回動させ互いの端部を対応させた状態で凸軸を前記ガイド孔に沿って摺動させて付属用吸込具の被嵌合部と操作部の嵌合部とを嵌合させることにより付属用吸込具を使用状態に保持するようにしたことから、付属用吸込具を使用する際の操作部への嵌合つまり接続する操作を容易とするとともに、使用後に操作部に保持させる操作を容易にできるという作用を有するものである。
【００３０】
また、付属用吸込具はガイド孔に嵌合した凸軸と係止部に係合した係合部とによって保持されることから外力が加わったとしても確実に保持できるという作用を有するものである。
【００３２】
更に、操作部の嵌合部に形成した凸軸と、付属用吸込具の被嵌合部に形成したガイド孔とを係脱可能としたことから、操作部に付属用吸込具を直接接続して使用する態様と、操作部に接続した延長管に接続して使用する態様とを選択できるという作用を有するものである。
【００３５】
【発明の実施の形態】
つぎに、この発明の実施の形態を図１ないし図１１に基いて説明する。なお、電気掃除機の構成は上述した従来の電気掃除機と同様な構成であることからその説明は省略する。
【００３６】
図１は、操作部１に付属用吸込具である隙間ノズル４０を接続つまり嵌合した状態の側面図である。この操作部１は合成樹脂からなり内部に風路を構成する貫通孔４が形成されるとともに、図に示すように一端側に前記吸込ホース２０の端部を接続する接続部２が形成されている。また、他端側の先端部には図１、図２に示すように後述する前記隙間ノズル４０の被嵌合部４１を嵌合する嵌合部３が形成されている。この嵌合部３は、前記貫通孔４の一部によって構成されていて、貫通孔４の開口４ａから奥部に向かうにつれて孔径を次第に小径としたテーパー状に形成されているものである。
【００３７】
なお、前記嵌合部３には上述した従来のものと同様図示しないが延長管が接続可能となっているものある。この延長管には図示しない床ブラシが接続されるようになっており、また、必要に応じて前記隙間ノズル４０を接続できるようになっている。
【００３８】
また、前記操作部１には前記接続部２と嵌合部３の中間部から後方に延出して形成したハンドル５が形成されており、このハンドル５を手で把持して、この操作部１に直接接続された隙間ノズル４０、または延長管を介して接続された床ブラシまたは隙間ノズル４０を操作して掃除をするものである。
【００３９】
また、前記ハンドル５には図示しないが、従来と同様前記電動送風機の電源をオン・オフする電源スイッチ、電動送風機の入力つまり出力を切り替える複数の切替スイッチの操作釦が配設され、これら各スイッチのオン・オフ信号は前記吸込ホース２０内に埋設された信号線を介して図示しない掃除機本体内に設けた制御手段に送られるようになっている。
【００４０】
また、前記操作部１の接続部２の外周壁には、接続部２内の貫通孔４の軸方向と直交する方向に向けて突設した係止部６が形成されている。この係止部６は、図１、図２等に示すように軸部６ａと、この軸部６ａの先端部に形成されるとともに前記軸部６ａよりも径大な係止頭部６ｂとによって構成されているものである。
【００４１】
また、前記操作部１の他端側先端部の下側つまりハンドル５が形成されている側と反対側である裏側の壁面には、嵌合部３を構成する貫通孔４の軸方向（この軸方向は前記隙間ノズル４０の後述する被嵌合部が嵌合する方向であることから以降の説明ではこの軸方向を嵌合方向という。）に沿って形成された幅寸法Ｗ１の案内体１０（図４、図５参照）が形成されている。この案内体１０は、図２、図５に示すように前記操作部１の壁面に一体に形成された取付部１１と、この取付部１１から前方に向けるとともに図５に示すように幅方向の断面を略コ字状に形成され、前記壁面と所定間隙Ｇだけ離間して形成され、かつ前記操作部１の壁面と平行に形成した案内片１２とからなっている。また、この案内片１２の先端は図２及び図４に示すように嵌合部３の先端開口より後退した位置に設けられている、更に、案内片１２には、図４に示すように長手方向に沿って形成されたスリット１３により互いに対向する一対の分割片１４、１４が形成されている。
【００４２】
そして、前記一対の分割片１４、１４の先端部外側には、それぞれ前記嵌合部３の嵌合方向と直交する方向に突出させて凸軸１５が形成されている。また、案内体１０の後端側つまり取付部１１と案内片１２との境界部の両側には、前記凸軸１５と同様に嵌合方向と直交する方向に突出させて位置決め突起１６が形成されている。
【００４３】
なお、前記両凸軸１５の両先端間の長さ寸法（以下幅寸法という）はＷ２に設定され、また、位置決め突起１６の両先端間の長さ寸法（以下幅寸法という）はＷ３に設定されており、この幅寸法Ｗ３は前記幅寸法Ｗ２よりも大きく設定されている。
【００４４】
つぎに、前記嵌合部３に嵌合接続される隙間ノズル４０について説明する。この隙間ノズル４０は、合成樹脂からなり、図３、図６に示すように基端側つまり後端側は円筒状とした被嵌合部４１が形成され、また、先端側は剣先状に形成され、また、先端側下方には図６（Ｂ）に示すようにスリット状の吸込開口４２が形成されている。なお、前記円筒状の被嵌合部４１は、前記操作部１の嵌合部３にテーパー嵌合するように後端部に向かうにつれて外径を次第に小径としたテーパー状に形成されている。
【００４５】
なお、前記被嵌合部４１は、従来のものと同様操作部１の嵌合部３に接続される延長管にも嵌合接続されるようになっており、高い場所の狭い溝等の掃除をする場合等は前記延長管に接続して使用するものである。
【００４６】
また、前記隙間ノズル４０に形成された前記吸込開口４２の互いに対向する開口縁部４２ａには、図６等に示すように吸込開口１４２の長手方向に沿って互いに対向する側に向けて僅かに突出させて形成した凸条４３ａからなる係合部４３が形成されており、この係合部４３は前記操作部１に設けられた係止部６の係止頭部６ｂと係合するものである。
【００４７】
つまり、両凸条４３ａ間の幅は前記係止頭部６ｂの外径寸法よりも僅かに狭い寸法に設定され、係止頭部６ｂに向けて隙間ノズル４０を押し付けるように力を加えると吸込開口４２の互いに対向する壁部４２ｂが弾性変形により外方に押し広げられ、係止頭部６ｂは前記凸条４３ａを乗り越えて係合し、逆に隙間ノズル４０を係止頭部６ｂから離す方向の力を加えると係止頭部６ｂは凸条４３ａから外れるつまり両者の係合は解かれるようになっている。
【００４８】
また、前記隙間ノズル４０の被嵌合部側の下側つまり前記吸込開口４２側には、図３、図６等に示すように連結体４４が形成されている。この連結体４４は、図６、図８に示すように天井壁４４ａ、この天井壁４４ａの両側に形成さた側壁４４ｂからなり、幅方向の断面がコ字状に形成され天井壁４４ａと両側壁４４ｂとによって内側には案内溝４４ｃが形成されている。また、前記両側壁４４ｂの一部は、図に示すように被係合部４１の端部から後方に延出して形成されており、また、この両側壁４４ｂには、前記案内体１０の分割片１４に形成した凸軸１５が摺動可能に嵌合する長孔状に形成されたガイド孔４５が形成されている。このガイド孔４５の長軸方向の軸心は、前記隙間ノズル４０の軸心すなわち円筒状の被嵌合部４１の軸心と平行に形成されているものである。つまり、前記ガイド孔４５は隙間ノズル４０の被嵌合部４１を前記操作部１の嵌合部３に嵌合させる嵌合方向と平行に形成されているものである。また、前記天井壁４４ａには、図６、図７に示すように後方端縁側を開放したスリット４４ｅが形成されている。
【００４９】
また、前記両側壁４４ｂのガイド孔４５の前側の近傍には前記位置決め突起１６と係脱する係合孔４６が形成されている。
【００５０】
また、前記連結体４４の天井壁４４ａと両側壁４４ｂによって形成される前記案内溝４４ｃの溝幅は、図７に示すように連結体４４の後端側の幅寸法Ｗ４よりも前方側の幅寸法Ｗ５の方が大きくなるようにして形成されている。なお、溝幅Ｗ５と溝幅Ｗ４との境界部には図７に示すように傾斜面４４ｄが形成されている。また、前記ガイド孔４５は前記溝幅の小さい後端側の両側壁４４ｂに形成されている。なお、このガイド孔４５の前側の端部は前記傾斜面の中間部に位置させるようにして形成してもよく、このようにした場合は後述するように隙間ノズル４０を操作部１に取り付ける際に前記凸軸１５の嵌合をし易くできる。
【００５１】
そして、この連結体４４の案内溝の幅寸法Ｗ４、Ｗ５と前記操作部１に形成された案内体１０の幅寸法Ｗ１、両凸軸１５の両先端間の幅寸法Ｗ２、両位置決め突起１６の両先端間の幅寸法Ｗ３との関係は、図４（なお、図４では連結体４４は二点鎖線で示してある）に示すように、Ｗ１＜Ｗ４＜Ｗ２＜Ｗ５＜Ｗ３の関係に設定されている。
【００５２】
このような寸法関係に設定することにより隙間ノズル４０の操作部１への取付、取外しが容易にできるものである。つまり、隙間ノズル４０を操作部１に取り付ける場合は、隙間ノズル４０を図１１に二点鎖線で示すように先端側を操作部１方向に向けるとともに、連結体４４を上側に向けて隙間ノズル４０の案内溝４４ｃの溝幅の大きい幅寸法Ｗ５側と、前記操作部１の案内体１０の先端部つまり凸軸１５が形成されている側の端部を対応させた後、案内体１０を案内溝４４ｃに入り込ませるように隙間ノズル４０を操作部１方向に移動させる。そうすると、この移動につれて案内体１０の先端は徐々に前記案内溝４４ｃのうちの幅の大きいＷ５内に入り込み、さらに移動させると案内体１０は溝幅の小さいＷ４内に入り込み、さらに、移動させていくと前記凸軸１５は前記傾斜面４４ｄを乗り越えて前記ガイド孔４５内に入り込み、このガイド孔４５に摺動可能に嵌合する。なお、前記凸軸１５が前記傾斜面４４ｄを乗り越える際は、前記天井壁４４ａのスリット４４ｅおよび案内体１０のスリット１３によって、前記両側壁４４ｂおよび両分割片１４が弾性変形する。このことによって容易に乗り越えることができるものである。また、上記したようにガイド孔４５の前側の端部が前記傾斜面４４ｄの中間部に位置している場合は、凸軸１５のガイド孔４５への嵌合は容易となる。
【００５３】
このように連結体４４のガイド孔４５を操作部１の案内体１０の凸軸１５に嵌合させることにより隙間ノズル４０は操作部１に取り付けられる。そして、取り付けられた状態では、凸軸１５とガイド孔４５とは摺動可能なことから隙間ノズル４０はガイド孔４５の長軸方向つまり嵌合部３との嵌合方向に移動可能であるとともに、凸軸１５を回動支点として回動可能となっているものである。
【００５４】
そして、操作部１に形成される前記凸軸１５の位置および隙間ノズル４０に形成される前記ガイド孔４５の位置は、図９に示すように、凸軸１５に嵌合した状態で凸軸１５を回動支点として隙間ノズル４０を同図の二点鎖線の位置から時計方向（矢印ｂ方向）に回転させるとき、操作部１の嵌合部３と隙間ノズル４０の被嵌合部４１とが対応する関係となるように設定されているものである。
【００５５】
また、前記隙間ノズル４０を回動させる場合は、図９に示すように凸軸１５をガイド孔４５の最も後端側に位置させる。この場合の凸軸１５と被嵌合部４１の後端下側端縁４１ａとの関係は、隙間ノズル４０を回動させる際に前記下側端縁４１ａと操作部１の嵌合部３の前端下側端縁３ａとを干渉させない関係となっているものである。つまり、図９に示すように前記嵌合部３の前端下側端縁３ａが、前記凸軸１５の軸心を中心Ｏとしこの中心Ｏと前記被嵌合部４１の後端下側端縁４１ａまでの距離Ｒを半径とした軌跡Ｋの内側となるような関係としてあるものである。
【００５６】
また、前記ガイド孔４５の軸方向の長さ寸法Ｌ１は、図１に示すように前記嵌合部３と被嵌合部４１との嵌合代である嵌合寸法Ｌ２よりも大きく設定されている。したがって、図１、図９に示すように隙間ノズル４０を二点鎖線に示す位置から反時計方向に回動させると、被嵌合部１１の後端部は嵌合部３の前端部に干渉することなく、かつ、両端部は間隙Ｌ３（ガイド孔４５に軸方向の長さ寸法Ｌ１から嵌合寸法Ｌ２を減じた距離）だけ離間した状態に位置する。この位置関係で被嵌合部４１は嵌合部３と対応した状態となっている。
【００５７】
そして、この状態において隙間ノズル４０を図９の矢印ｂ方向に移動させることによって被嵌合部４１は嵌合部３に嵌合し、この嵌合により隙間ノズル４０は操作部１に接続されるものである。
【００５８】
つぎに、このように構成された隙間ノズル４０の操作部１への取り付けについて説明する。
【００５９】
上記したように、図１１に二点鎖線で示すように隙間ノズル４０をその先端側を操作部１側に向け、ついで、隙間ノズル４０の案内溝４４ｃの溝幅の大きい幅寸法Ｗ５側と前記操作部１の案内体１０の先端部を対応させた後、案内体１０を案内溝４４ｃに入り込ませつつ前記凸軸１５が前記ガイド孔４５に嵌合するまで移動させることにより、隙間ノズル４０は操作部１に取り付けられる。
【００６０】
また、隙間ノズル４０を操作部１側に移動させる過程において、前記連結体４４の案内溝４４ｃの溝幅の大きい幅寸法Ｗ５よりも位置決め突起１６の両先端までの幅寸法Ｗ３が大きく設定されていることから、前記両側壁４４ｂの下面（図１１では上方に位置している）は、前記位置決め突起１６によって操作部１側への動きが規制される。これにより、隙間ノズル４０は図１１に実線で示すように斜め方向に向いた状態に位置決めされて取り付けられることになる。
【００６１】
そして、この状態では隙間ノズル４０に設けた係合部４３と、前記操作部１の接続部２に設けた係止部６の係止頭部６ｂとは、前記ガイド孔４５の最も後端側に位置した凸軸１５の軸心を中心Ｏとし、この中心Ｏと前記係合部４３の中間部までの距離を半径とした軌跡Ｋ１上に位置するようになっている。そして、係合部４３を係止部６に係合させるときは前記凸軸１５を回動支点として図１１の矢印ａ方向に回動させることによって係合させることができるものである。なお、この回動させる際に前記連結体４３に設けた係合孔４６は案内体１０に設けた位置決め突起１６に係合するようになっている。そして、前記係合部４３と係止部６とは同一の軌跡Ｋ１上に位置していることから互いに正対向する関係となっているため係合が確実になされるものである。
【００６２】
また、隙間ノズル４０を操作部１に取り付けるとともに係合部４３を係止部６に係合させて操作部１に収納保持した状態では、隙間ノズル４０は、一方は前記凸軸１５とガイド孔４５との嵌合によって取り付けられ、他方は前記係合部４３と係止部６との係合によって取り付けられることから、掃除中にこの隙間ノズル４０が何かにぶつかる等して外力が加わったとしても、両端部が固定されていることから例えば係止部６の破損等を防止できるものである。また、ガイド孔４５は凸軸１５と嵌合していることから、仮に係止部６から係合部４３が外れたとしても隙間ノズル４０が落下することはないものである。
【００６３】
また、隙間ノズル４０に加わる横方向からの外力に対しては、連結体４４の案内溝４４ｃの両側壁４４ｂが案内体１０の両側壁によって、横方向への動きが規制されるものであることから、前記横方向からの外力に充分に耐えることができるものである。
【００６４】
つぎに、上記のようにして操作部１に取り付けられた隙間ノズル４０を嵌合部３に接続して使用する場合における接続の仕方と、使用しない場合における操作部１に保持して収納する収納の仕方について説明する。
【００６５】
まず、操作部１に保持収納されている状態から使用する場合について説明する。隙間ノズル４０が操作部１に保持して収納された状態は図１０に示すように、隙間ノズル４０の係合部４３は操作部１の係止部６と係合して保持されている。この状態から操作部１に接続して使用状態とする場合は、嵌合部３と被嵌合部４１とを例えば上方に向け、右手と左手の掌を合わせるようにするとともに、左右の手の親指が凸軸１５側となるようにして右手でハンドル５をまた左手で隙間ノズル４０を把持する。ついで凸軸１５を中心として係合部４３と係止部６を引離すように回動させて係合部４３と係止部６との係合を外し、ついで図９に示すように隙間ノズル４０の被嵌合部４１を操作部１の嵌合部３に対応する位置まで回動させる。ついで、ガイド孔４５を凸軸１５に摺動させつつ被嵌合部４１を嵌合部３に向けて移動させて、図１に示すように嵌合させて隙間ノズル４０を操作部１に接続する。
【００６６】
そして、この時の接続操作は、右手でハンドル５を把持し、左手で隙間ノズル４０を把持して回動させ被嵌合部４１を嵌合部３に対応させ、その把持状態のまま被嵌合部４１を嵌合部３に嵌合させる方向に移動させるように操作すものであるから、この一連の操作において左右の手はハンドル５および隙間ノズル４０のいずれも持ち替える操作をすることなく接続できるものである。また、この操作中には隙間ノズル４０が凸軸１５に嵌合していることから抜け落ちることがないものである。
【００６７】
そして、前記接続した後ハンドル５を把持して窓枠の敷居溝等の狭い場所の掃除をするものである。
【００６８】
上記のように操作部１に収納保持されている状態から、隙間ノズル４０を操作部１の嵌合部３に接続する際に、隙間ノズル４０および操作部１のハンドル５の持ち替え操作を要しないことおよび抜け落ちがないことから接続操作が極めて容易にできるものである。
【００６９】
つぎに、窓枠の敷居溝等の狭い場所の掃除を終えて、隙間ノズル４０を操作部１に保持して収納する場合について説明する。
【００７０】
この場合は図１に示すように、隙間ノズル４０は操作部１に接続された状態となっているものであるから、まず、左右の手を互いに親指が向き合うようにして上側から右手でハンドル５を左手で隙間ノズル４０を把持する。ついで、両方の手を引離すようにして嵌合部３から被嵌合部４１を抜く。ついで、把持した状態のまま操作部１と隙間ノズル４０とを前記凸軸１５を中心として折り曲げるように回動させて、係合部４３を係止部６に係合させることにより、隙間ノズル４０は操作部１に収納保持されるものである。
【００７１】
そして、この収納保持する一連の操作において左右の手はハンドル５および隙間ノズル４０のいずれも持ち替える操作をすることなく、嵌合を解きつまり隙間ノズル４０の被嵌合部４１を操作部１の嵌合部３から外し、係合部４３を係止部６に係合させて収納保持できるものである。また、この場合も隙間ノズル４０は凸軸１５に嵌合していることから抜け落ちることがないものである。
【００７２】
このように使用状態に操作部１に接続されている隙間ノズル４０を、操作部１に収納保持する場合においても、隙間ノズル４０および操作部１の持ち替え操作を要しないことおよび抜け落ちがないことから、収納保持操作が極めて容易にできるものである。
【００７３】
また、高い場所等の狭い場所を掃除する場合は、前記隙間ノズル４０を操作部１から取外すとともに、操作部に図示しない延長管を接続しこの延長管に隙間ノズル４０を接続して掃除をするものである。また、この場合に隙間ノズル４０を操作部１からの取り外しは、図１１の実線で示すように係合部４３と係止部６との係合を解いた状態とした後、上記した取り付ける場合と逆に矢印ｂ方向に移動させ、ガイド孔４５と凸軸１５の嵌合を外して引き抜くことによってなされるものである。
【００７４】
このように常時は隙間ノズル４０をガイド孔４５と凸軸１５を介して操作部１に取付状態つまり収納保持しておくとともに、必要に応じて取外すことができるようにしたことから、上記したように延長管を介して接続して高い場所等の掃除も容易になすことができるものである。
【００７５】
上記したように操作部１の嵌合部３の端部近傍外周部に軸心を嵌合方向と直交する方向とした凸軸１５を形成し、また、隙間ノズル４０の被嵌合部４１の端部近傍外周部に、前記凸軸１５に摺動かつ回動可能に嵌合するとともに、長軸方向を前記嵌合方向としその長さを嵌合部３と被嵌合部４１との嵌合代よりも長く形成したガイド孔４５を形成し、また、前記凸軸１５と被嵌合部４１との関係を隙間ノズル４０を前記凸軸１５を支点として被嵌合部４１を嵌合部３に対応させるように回動する際両端部が干渉しない関係とし、さらに前記隙間ノズル４０の先端側に係合部４３を形成し、この係合部４３と係脱する係止部６を前記操作部１の接続部２に設けたことから、隙間ノズル４０を使用しないときは、被嵌合部４１を操作部１の嵌合部３から外し隙間ノズル４０を凸軸１５を支点として回動して係合部４３を係止部６に係合させて非使用状態に保持でき、また、使用する場合は、凸軸１５を支点として回動させ互いの端部を対応させた後凸軸１５を前記ガイド孔４５に沿って摺動させることによって隙間ノズル４０の被嵌合部４１を操作部１の嵌合部３に嵌合させることにより使用状態に保持するようにできるものである、したがって、隙間ノズル４０を使用する際の操作部１への接続操作および使用後の操作部１への収納保持操作が容易にできるものである。
【００７６】
また、操作部１に設けた凸軸１５と隙間ノズル４０に設けたガイド孔４５とを係脱可能としたことから、隙間ノズル４０操作部１に直接接続して使用することができるとともに、操作部に接続した延長管に接続して使用することもできるものである。
【００７７】
また、操作部１の案内体１０に位置決め突起１６を形成したことから、隙間ノズル４０を操作部１に取り付ける際に係合部４３を係止部６に対応させて位置決めさせることができる。このため、係止部６と係合部４３とは互いに対向した方向から係合することから両者の係合関係を確実にすることができるものである。
【００７９】
また、上記実施の形態においては、隙間ノズル４０の連結体４４に形成したガイド孔４５は貫通孔としたが、これは溝状とした穴に形成してもよいものである。つまり、この発明におけるガイド孔における孔の概念は孔および穴等を含む概念として用いられているものである。
【００８０】
また、上記実施の形態では、操作部１の接続部２に係止部６を設け、隙間ノズル４０の先端側に係合部４３を設ける構成としたが、操作部１の一部である前記案内体１０に設けた位置決め突起１６と隙間ノズル４０の一部である連結体４４の設けた係合孔４６とはそれぞれ係止部および係合部としての機能を有するものであることから、位置決め突起１６を係止部とし、また、係合孔４６を係合部として、前記係止部６と係合部４３を省略するようにしてもよいものである。しかし、上記実施の形態のように隙間ノズル４０の先端側に係合部４３を設けるようにした場合は、隙間ノズル４０の両端部（一端は凸軸１５によって）を保持することから、外力を受けた場合等においても充分な保持ができるという利点があるものである。
【００８１】
また、上記実施の形態においては付属用吸込具を隙間ノズル４０とした場合につて説明したがこれは、例えば丸ブラシ等他の付属用吸込具としてもよいものでる。
【００８２】
【発明の効果】
上記のように請求項１記載の発明は、付属用吸込具を使用する際の操作部への嵌合つまり接続する操作が容易であるとともに、使用後に操作部に保持させる操作を容易にできるという効果を有するものである。
【００８３】
また、付属用吸込具はガイド孔に嵌合した凸軸と係止部に係合した係合部とによって保持されることから、外力が加わったとしても、確実に保持できるという効果を有するものである。
【００８４】
更に、操作部の嵌合部に形成した凸軸と、付属用吸込具の被嵌合部に形成したガイド孔とを係脱可能としたから、操作部に付属用吸込具を直接接続して使用する態様と、操作部に接続した延長管に接続して使用する態様とを選択できるという効果を有するものである。
【図面の簡単な説明】
【図１】本発明の実施の形態の電気掃除機の吸込ホースに設けられた操作部に付属用吸込具（隙間ノズル）を接続し、その一部を断面した側面図。
【図２】上記実施の形態の操作部の一部を断面した側面図。
【図３】上記実施の形態の付属用吸込具の側面図。
【図４】上記実施の形態の操作部に設けの凸軸、位置決め突起と、付属用吸込具に設けたガイド孔等の関係を示す図。
【図５】上記実施の形態の操作部を嵌合部方向から見た図。
【図６】上記実施の形態の付属用吸込具の斜視図で、（Ａ）上部後方から見た図であり、（Ｂ）下側（吸込開口側）から見た図である。
【図７】上記実施の形態の付属用吸込具の被嵌合部側の下側から見た図。
【図８】上記実施の形態の付属用吸込具の被嵌合部側から見た図。
【図９】上記実施の形態の操作部と付属用吸込具の関係（嵌合部と被嵌合部とを対応させた状態）を示す図。
【図１０】上記実施の形態の操作部と付属用吸込具の関係（付属用吸込具を操作部に収納保持した）を示す図。
【図１１】上記実施の形態の操作部に付属用吸込具を取り付ける場合の説明図。
【図１２】従来の電気掃除機の斜視図（掃除機本体に接続された吸込ホースの操作部に付属用吸込具を接続した状態の斜視図）。
【図１３】上記従来の吸込ホースの操作部に付属用吸込具を接続した状態を示す図。
【図１４】上記従来の吸込ホースの操作部に付属用吸込具を収納保持した状態を示す図。
【図１５】上記従来の吸込ホースの付属用吸込具の係合部を示す図。
【符号の説明】
１            吸込ホースに設けた操作部
３            操作部の嵌合部
６            係止部
１０          案内体
１１          取付部
１２          案内片
１５          凸軸
２０          吸込ホース
４０          隙間ノズル（付属用吸込具）
４１          隙間ノズルの被嵌合部
４２          隙間ノズルの吸込開口
４３          係合部
４４          連結体
４５          ガイド孔
【図１】
0003683715.tif 000002
【図２】
0003683715.tif 000003
【図３】
0003683715.tif 000004
【図４】
0003683715.tif 000005
【図５】
0003683715.tif 000006
【図６】
0003683715.tif 000007
【図７】
0003683715.tif 000008
【図８】
0003683715.tif 000009
【図９】
0003683715.tif 000010
【図１０】
0003683715.tif 000011
【図１１】
0003683715.tif 000012
【図１２】
0003683715.tif 000013
【図１３】
0003683715.tif 000014
【図１４】
0003683715.tif 000015
【図１５】
0003683715.tif 000016